【手続補正書】
【提出日】平成31年2月18日(2019.2.18)
【手続補正１】
【補正対象書類名】特許請求の範囲
【補正対象項目名】全文
【補正方法】変更
【補正の内容】
【特許請求の範囲】
【請求項１】
任意のアプリケーションによって生成された画面を表示する情報処理装置であって、
前記任意のアプリケーションとは異なるアプリケーションの選択を受け付ける選択受付手段と、
前記選択受付手段によって選択された異なるアプリケーションを前記画面に配置する位置の指定を受け付ける位置受付手段と、
前記位置受付手段によって受け付けた位置に前記異なるアプリケーションを配置して前記画面を表示するように制御する表示制御手段と、
表示された前記画面に配置された異なるアプリケーションに対する操作を受け付けることにより、前記異なるアプリケーションを実行する実行手段と、
を備えたことを特徴とする情報処理装置。
【請求項２】
前記実行手段は、前記異なるアプリケーションが当該異なるアプリケーションを配置する前記画面の情報を用いて処理を実行することを特徴とする請求項１に記載の情報処理装置。
【請求項３】
前記実行手段は、前記画面と当該画面に配置された前記異なるアプリケーション間を連携するコントローラを介して、前記画面の項目のデータを取得して当該異なるアプリケーションにより処理を実行することを特徴とする請求項１または２に記載の情報処理装置。
【請求項４】
前記表示制御手段は、前記画面の表示状態の変更に応じて前記画面に配置された前記異なるアプリケーションの表示状態を変更して表示するように制御することを特徴とする請求項１乃至３の何れか１項に記載の情報処理装置。
【請求項５】
前記表示制御手段は、前記画面に配置された前記異なるアプリケーションと同一の前記異なるアプリケーションを前記画面とは異なる画面に配置して表示するように制御することを特徴とする請求項１乃至４の何れか１項に記載の情報処理装置。
【請求項６】
前記画面の項目のデータを取得して異なるアプリケーション間で利用可能な記憶領域へ記憶する記憶手段と、
前記実行手段は、前記前記異なるアプリケーションが前記記憶領域へ記憶されたデータを用いて処理を実行することを特徴とする請求項１乃至５の何れか１項に記載の情報処理装置。
【請求項７】
前記位置受付手段は、前記選択受付手段によって選択された異なるアプリケーションを起動中の前記画面に配置する位置の指定を受け付けることを特徴とする請求項１乃至６の何れか１項に記載の情報処理装置。
【請求項８】
前記表示制御手段は、前記起動中の画面の表示状態の変更に応じて前記画面に配置された前記異なるアプリケーションの表示状態を変更して表示するように制御することを特徴する請求項７に記載の情報処理装置。
【請求項９】
前記位置受付手段は、前記画面に配置済の前記異なるアプリケーションを当該画面から移動させる操作を受け付けることを特徴とする請求項１乃至８の何れか１項に記載の情報処理装置。
【請求項１０】
任意のアプリケーションによって生成された画面を表示するクライアント端末とサーバとがネットワークを介して接続可能な情報処理システムであって、
前記クライアント端末は、
前記任意のアプリケーションとは異なるアプリケーションの選択を受け付ける選択受付手段と、
前記選択受付手段によって選択された異なるアプリケーションを前記画面に配置する位置の指定を受け付ける位置受付手段と、
前記サーバの記憶手段に記憶した前記画面に配置された前記異なるアプリケーションの位置にかかる情報を取得する取得手段と、
前記取得手段によって取得した前記異なるアプリケーションの位置にかかる情報に基づいて当該異なるアプリケーションを配置した前記画面を表示する表示手段と、
を備え、
前記サーバは、
前記位置受付手段によって指定を受付けた前記画面に配置された前記異なるアプリケーションの位置にかかる情報を記憶する記憶手段
を備えたことを特徴とする情報処理システム。
【請求項１１】
任意のアプリケーションによって生成された画面を表示する情報処理装置の制御方法であって、
前記情報処理装置が、
前記任意のアプリケーションとは異なるアプリケーションの選択を受け付ける選択受付ステップと、
前記選択受付ステップによって選択された異なるアプリケーションを前記画面に配置する位置の指定を受け付ける位置受付ステップと、
前記位置受付ステップによって受け付けた位置に前記異なるアプリケーションを配置して前記画面を表示するように制御する表示制御ステップと、
表示された前記画面に配置された前記異なるアプリケーションに対する操作を受け付けることにより、当該異なるアプリケーションを実行する実行ステップと、
を実行することを特徴とする情報処理装置の制御方法。
【請求項１２】
コンピュータを、
画面を生成した任意のアプリケーションとは異なるアプリケーションの選択を受け付ける選択受付手段と、
前記選択受付手段によって選択された異なるアプリケーションを前記画面に配置する位置の指定を受け付ける位置受付手段と、
前記位置受付手段によって受け付けた位置に前記異なるアプリケーションを配置して前記画面を表示するように制御する表示制御手段と、
表示された前記画面に配置された前記異なるアプリケーションに対する操作を受け付けることにより、当該異なるアプリケーションの所定処理を実行する実行手段と、
して機能させることを特徴とするプログラム。
【請求項１３】
任意のアプリケーションによって生成された画面を表示するクライアント端末とサーバとがネットワークを介して接続可能な情報処理システムの制御方法であって、
前記クライアント端末は、
前記任意のアプリケーションとは異なるアプリケーションの選択を受け付ける選択受付ステップと、
前記選択受付ステップによって選択された異なるアプリケーションを前記画面に配置する位置の指定を受け付ける位置受付ステップと、
前記サーバの記憶ステップにおいて記憶した前記画面に配置された前記異なるアプリケーションの位置にかかる情報を取得する取得ステップと、
前記取得ステップによって取得した前記異なるアプリケーションの位置にかかる情報に基づいて当該異なるアプリケーションを配置した前記画面を表示する表示ステップと、
を実行し、
前記サーバは、
前記位置受付ステップによって指定を受付けた前記画面に配置された前記異なるアプリケーションの位置にかかる情報を記憶する記憶ステップ
を実行することを特徴とする情報処理システムの制御方法。
【手続補正２】
【補正対象書類名】明細書
【補正対象項目名】０００９
【補正方法】変更
【補正の内容】
【０００９】
そこで、本発明では、ユーザが、既に作成したアプリケーションに対して、異なるアプリケーションを容易に追加することができる仕組みを提供することを目的とする。
【手続補正３】
【補正対象書類名】明細書
【補正対象項目名】００１０
【補正方法】変更
【補正の内容】
【００１０】
上記課題を解決するための第１の発明は、任意のアプリケーションによって生成された画面を表示する情報処理装置であって、前記任意のアプリケーションとは異なるアプリケーションの選択を受け付ける選択受付手段と、前記選択受付手段によって選択された異なるアプリケーションを前記画面に配置する位置の指定を受け付ける位置受付手段と、前記位置受付手段によって受け付けた位置に前記異なるアプリケーションを配置して前記画面を表示するように制御する表示制御手段と、表示された前記画面に配置された異なるアプリケーションに対する操作を受け付けることにより、前記異なるアプリケーションを実行する実行手段と、を備えたことを特徴とする。
【手続補正４】
【補正対象書類名】明細書
【補正対象項目名】００１１
【補正方法】変更
【補正の内容】
【００１１】
上記課題を解決するための第２の発明は、任意のアプリケーションによって生成された画面を表示するクライアント端末とサーバとがネットワークを介して接続可能な情報処理システムであって、前記クライアント端末は、前記任意のアプリケーションとは異なるアプリケーションの選択を受け付ける選択受付手段と、前記選択受付手段によって選択された異なるアプリケーションを前記画面に配置する位置の指定を受け付ける位置受付手段と、前記サーバの記憶手段に記憶した前記画面に配置された前記異なるアプリケーションの位置にかかる情報を取得する取得手段と、前記取得手段によって取得した前記異なるアプリケーションの位置にかかる情報に基づいて当該異なるアプリケーションを配置した前記画面を表示する表示手段と、を備え、前記サーバは、前記位置受付手段によって指定を受付けた前記画面に配置された前記異なるアプリケーションの位置にかかる情報を記憶する記憶手段を備えたことを特徴とする。
【手続補正５】
【補正対象書類名】明細書
【補正対象項目名】００１２
【補正方法】変更
【補正の内容】
【００１２】
上記課題を解決するための第３の発明は、任意のアプリケーションによって生成された画面を表示する情報処理装置の制御方法であって、前記情報処理装置が、前記任意のアプリケーションとは異なるアプリケーションの選択を受け付ける選択受付ステップと、前記選択受付ステップによって選択された異なるアプリケーションを前記画面に配置する位置の指定を受け付ける位置受付ステップと、前記位置受付ステップによって受け付けた位置に前記異なるアプリケーションを配置して前記画面を表示するように制御する表示制御ステップと、表示された前記画面に配置された前記異なるアプリケーションに対する操作を受け付けることにより、当該異なるアプリケーションを実行する実行ステップと、を実行することを特徴とする。
【手続補正６】
【補正対象書類名】明細書
【補正対象項目名】００１３
【補正方法】変更
【補正の内容】
【００１３】
上記課題を解決するための第４の発明は、コンピュータを、画面を生成した任意のアプリケーションとは異なるアプリケーションの選択を受け付ける選択受付手段と、前記選択受付手段によって選択された異なるアプリケーションを前記画面に配置する位置の指定を受け付ける位置受付手段と、前記位置受付手段によって受け付けた位置に前記異なるアプリケーションを配置して前記画面を表示するように制御する表示制御手段と、表示された前記画面に配置された前記異なるアプリケーションに対する操作を受け付けることにより、当該異なるアプリケーションの所定処理を実行する実行手段と、して機能させることを特徴とする。
【手続補正７】
【補正対象書類名】明細書
【補正対象項目名】００１４
【補正方法】変更
【補正の内容】
【００１４】
上記課題を解決するための第５の発明は、任意のアプリケーションによって生成された画面を表示するクライアント端末とサーバとがネットワークを介して接続可能な情報処理システムの制御方法であって、前記クライアント端末は、前記任意のアプリケーションとは異なるアプリケーションの選択を受け付ける選択受付ステップと、前記選択受付ステップによって選択された異なるアプリケーションを前記画面に配置する位置の指定を受け付ける位置受付ステップと、前記サーバの記憶ステップにおいて記憶した前記画面に配置された前記異なるアプリケーションの位置にかかる情報を取得する取得ステップと、前記取得ステップによって取得した前記異なるアプリケーションの位置にかかる情報に基づいて当該異なるアプリケーションを配置した前記画面を表示する表示ステップと、を実行し、前記サーバは、前記位置受付ステップによって指定を受付けた前記画面に配置された前記異なるアプリケーションの位置にかかる情報を記憶する記憶ステップを実行することを特徴とする。
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】変更
【補正の内容】
【００１６】
本発明では、ユーザが、既に作成したアプリケーションに対して、異なるアプリケーションを容易に追加することができる、という効果を奏する。